(57)【要約】【課題】名前として用いられる場合の文字の情報を含め、漢字を定義する各種文字コードを一括して表示する文字情報検索装置を提供する。【解決手段】文字情報を記録した文字情報データベースと、外部の端末から入力される検索条件を受け付け、検索キーに変換する検索条件受付部と、検索条件受付部と文字情報データベースに接続され、検索条件受付部から入力される検索キーを用いて、文字情報データベースの文字情報を検索する検索部と、検索部に接続され、検索部が文字情報データベースから抽出した文字情報を、端末に出力する検索結果表示部とを含む。【選択図】図１
2008269255.tif 000002
【特許請求の範囲】
【請求項１】
名乗り、名前例、ＪＩＳコード、シフトＪＩＳコード、区点コード、住基ネット文字コード、及び戸籍統一文字番号を含む文字情報を記録した文字情報データベースと、
外部の端末から入力される前記文字情報の検索条件を受け付け、該検索条件の文字の形、部首、読み、画数、コード、番号のいずれかに対応した検索キーに変換する検索条件受付部と、
前記検索条件受付部と前記文字情報データベースに接続され、前記検索条件受付部から入力される前記検索キーを用いて、前記文字情報データベースの前記文字情報を検索する検索部と、
前記検索部に接続され、前記検索部が前記文字情報データベースから抽出した前記文字情報を、前記端末に出力する検索結果表示部
とを含むことを特徴とする文字情報検索装置。
【請求項２】
外部の管理端末と前記文字情報データベースに接続され、前記文字情報の入力、編集、及び削除を行うデータベース編集部をさらに含む請求項１に記載の文字情報検索装置。
【請求項３】
前記検索条件受付部は、手書き文字認識手段を含むことを特徴とする請求項１又は２に記載の文字情報検索装置。
【請求項４】
前記端末は、インターネットを介して接続される携帯端末であることを特徴とする請求項１、２又は３に記載の文字情報検索装置。
【発明の詳細な説明】
【技術分野】
【０００１】
本発明は、文字を特定する条件を入力して、関連する情報を検索する文字情報検索に関する。特に、検索結果として、名前として用いられる場合の文字の情報を含め、漢字を定義する各種文字コードを一括して表示する文字情報検索装置に関する。
【背景技術】
【０００２】
近年では、役所、警察、社会保険庁等の官庁や、銀行、病院等の窓口での各種手続きが、電子化されている。そのために、氏名等の情報を登録する際に、窓口担当者が申請用紙に利用者が手書きした情報をコンピュータから打ち込む。
【０００３】
また、通信販売においては、電話による購入申し込み時に、購入者の氏名を口頭で店員に伝え、それを店員がコンピュータに入力して、顧客管理を行う。
【０００４】
そのほかにも、学校や企業でも、生徒や社員の氏名を含む情報を全て電子化して管理している。
【０００５】
このように、現在の社会では、氏名を含む個人情報を電子化する必要があり、その都度、必ずコンピュータに入力する作業が生じる。アルファベットの場合は、その綴り通りにコンピュータのキーを打って入力すればよい。しかし、漢字の場合は、読みを入力して漢字に変換しながら入力することになる。この漢字変換の方法では、目的とする漢字に早く変換できるように各種の技術が開発されている。（例えば、特許文献１参照。）
一方、住所情報は、郵便番号を入力すると、該当する住所に変換するソフトウェアが多くに装置に組み込まれるようになり、住所の文字自体を入力しなくてもよくなってきて、入力の効率化がはかられている。
【０００６】
文字にも、「文字コード」という、文字をコンピュータで扱うために個々の文字や記号に割り当てられた、固有の番号が存在する。日本語の文字コードは、日本工業規格（ＪＩＳ）で標準化されたＪＩＳ  Ｘ０２０８（ＪＩＳコード）、シフトＪＩＳが主に利用されている。
【特許文献１】特開２００５−５０１４１号公報
【発明の開示】
【発明が解決しようとする課題】
【０００７】
しかしながら、文字コードは郵便番号のように完全に統一されたものがなく、数種類の文字コードが存在するため、覚えておくことが難しい。
【０００８】
また、氏名の場合は、一般の漢字の用法と異なり、読み方が特殊だったり、当て字だったりすることがしばしばある。また、日常ではあまり使用しない漢字を用いたりすることがある。このような場合、コンピュータに入力する担当者は、漢字を探し出すのが困難である。
【０００９】
また、漢字を入力しなくても良い場合でも、読み方がわからないために作業に手間取ることもある。
【００１０】
さらに、コンピュータに情報を入力する際に、そのデータを管理しているソフトウェアによって、漢字を特定するために使用している文字コードの種類が異なる。
【００１１】
このように一般の人が入力しにくい文字（特に漢字）でも、容易に入力できるような情報を提供する必要がある。
【００１２】
このような課題を解決するために、本発明は、名前として用いられる場合の文字の情報を含め、文字を定義する各種文字コードを一括して表示する文字情報検索装置を提供することを目的とする。
【課題を解決するための手段】
【００１３】
本発明の文字情報検索装置は、名乗り、名前例、ＪＩＳコード、シフトＪＩＳコード、区点コード、住基ネット文字コード、及び戸籍統一文字番号を含む文字情報を記録した文字情報データベースと、外部の端末から入力される前記文字情報の検索条件を受け付け、該検索条件の文字の形、部首、読み、画数、コード、番号のいずれかに対応した検索キーに変換する検索条件受付部と、前記検索条件受付部と前記文字情報データベースに接続され、前記検索条件受付部から入力される前記検索キーを用いて、前記文字情報データベースの前記文字情報を検索する検索部と、前記検索部に接続され、前記検索部が前記文字情報データベースから抽出した前記文字情報を、前記端末に出力する検索結果表示部
とを含むことを要旨とする。
【００１４】
さらに、本発明の文字情報検索装置は、外部の管理端末と文字情報データベースに接続され、文字情報の入力、編集、及び削除を行うデータベース編集部をさらに含むことを要旨とする。
【発明の効果】
【００１５】
文字を特定する条件を入力することで、文字を定義するＪＩＳコード、シフトＪＩＳコード、区点コード、住基ネット文字コード、及び戸籍統一文字番号を一括で表示できるので、該当する文字コードによって、容易に文字を入力できる。
【００１６】
また、使用されている漢字を入力することで、名乗りを表示できるので、名前の読み方が容易にわかる。
【００１７】
さらに、漢字の読み方として名乗りを入力して検索でき、該当する名前の漢字が一覧で表示されるので、音読み、訓読みによる検索よりも目的の名前の漢字がに早く検索できる。
【発明を実施するための最良の形態】
【００１８】
本発明の実施の形態の文字情報検索装置１０は、図１に示すように、文字情報データベース１１と、検索条件受付部１２と、検索条件受付部１２と文字情報データベース１１に接続された検索部１３と、検索部１３に接続された検索結果表示部１４、及び文字情報データベース１１に接続されたデータベース編集部１５を含む。
【００１９】
（文字情報検索装置の構成）
文字情報データベース１１は、文字情報を記録しておく記憶装置である。
【００２０】
検索条件受付部１２は、外部の端末２０からのアクセスを受け付け、端末２０から入力される検索条件を受信して、検索キーに変換する。
【００２１】
検索部１３は、検索条件受付部１２から入力される検索キーを用いて、文字情報データベース１１に記録された文字情報を検索して、該当する文字情報を抽出する。
【００２２】
検索結果表示部１４は、検索部１３が文字情報データベース１１から抽出した検索結果を端末２０に出力して、表示させる。
【００２３】
一方、データベース編集部１５は、管理端末３０を接続し、文字情報データベース１１に新規の文字情報を入力したり、既に存在する文字情報を編集したり、誤った文字情報を削除したりする。
【００２４】
（文字情報データベース１１の構成）
文字情報データベース１１に記録される文字情報は、図２に示すように、以下の情報要素を含むものである。
【００２５】
・文字：
文字の表示形
・画数：
漢字の総画数
・文字種類：
第一から第四水準漢字、常用漢字、人名用漢字、子の名に使える漢字等の種類の情報  
・部首：
漢和辞典等で見出しとして掲げる部首
・訓読み：
字の意味に基づいて訳した日本語での読み方
・音読み：
字の中国風の読み方
・名乗り：
名前として用いたときの読み方
・名前例：
名前として使用される場合の例
・意味：
字の示す内容
・語例：
一般に使用される場合の例
・ＪＩＳコード：
ＪＩＳで定められた漢字コード
・シフトＪＩＳコード：
ＪＩＳで定められた漢字コードを，コンピュータのオペレーティングシステムなどの制御コードに重なって影響を与えないように移動（シフト）させた日本語漢字かなコード
・区点コード：
ＪＩＳコードに定められた１６進数４桁の文字コードを４桁の１０進数で表わしたコード
・住基ネット文字コード：
住民基本台帳システムで使用される文字コード
・戸籍統一文字番号：
戸籍のオンライン手続に使用することを目的として整理した文字に付与された番号。
【００２６】
特に、本発明の実施の形態の文字情報検索装置１０では、ＪＩＳコード、シフトＪＩＳコード、区点コード、住基ネット文字コード、及び戸籍統一文字番号を文字情報として含めることで、検索により一括して全文字コードを表示するので、いかなる場合にも対応できる。
【００２７】
また、一般に漢字の音読みや訓読みによって文字検索を行うために、名前として使用している場合には検索されないことがあるが、本発明の実施の形態の文字情報検索装置１０では、名乗りの情報を含むことで、名前の読みを入力するだけで、該当する漢字を検索することができる。
【００２８】
ここで、本記載が文字情報として上記の情報要素に限定するわけではなく、このほかの情報をさらに追加することは構わない。
【００２９】
（検索条件受付部１２の構成・機能）
検索条件受付部１２は、外部の端末２０から入力される検索条件を、入力された情報によって、検索に用いるための検索キーに変換する。
【００３０】
入力情報として、図１に示したように、端末２０から手書きの文字が入力される場合がある。この場合は、検索条件受付部１２に具備される手書き文字認識手段（図示せず）によって、認識された文字の形にして、「文字の形」を含めた漢字検索であることを示す検索キーに変換する。
【００３１】
また、キーボードから漢字が入力された場合も、同様に漢字検索であることを示す検索キーに変換する。
【００３２】
ほかに、読みを入力された場合は、「読み」を含めた読み検索であることを示す検索キーに変換する。
【００３３】
さらに、画数を入力された場合は画数検索の検索キーに、部首を入力された場合は部首検索の検索キーに、ＪＩＳコード、シフトＪＩＳコード、区点コード、住基ネット文字コード、及び戸籍統一文字番号のいずれかが入力された場合は、それぞれのコード検索の検索キーに変換する。
【００３４】
こうして、入力された情報から検索キーに変換した情報を、次に検索部１３に入力する。
【００３５】
（検索部１３の構成・機能）
検索条件受付部１２から入力された検索キーによって、文字情報データベース１１内に記録された文字情報のどの情報要素を検索すればよいかを判断する。
【００３６】
漢字検索である場合は、検索キーに含まれる「文字の形」と文字情報内の文字要素とを比較して、該当する文字情報を抽出する。
【００３７】
読み検索である場合は、検索キーに含まれる「読み」と文字情報内の音読み、訓読み、及び名乗りの要素とを比較して、該当する文字情報を抽出する。ここで、音読み、訓読み、及び名乗りのどの要素を優先させて比較するかは、あらかじめ設定しておいて構わない。
【００３８】
また、画数検索、部首検索、及び各コード検索である場合は、文字情報内のそれぞれの要素と比較して、該当する文字情報を抽出する。
【００３９】
こうして、文字情報データベース１１から抽出された文字情報を、次に検索結果表示部１４に出力する。
【００４０】
なお、検索部１３において利用する文字情報データベース１１の検索手法は、一般に用いられている検索手法のいずれであっても構わない。
【００４１】
（検索結果表示部１４の構成・機能）
検索部１３から出力された文字情報は、所定のフォーマットにして、検索要求元である端末２０に出力して表示させる。
【００４２】
検索によって、一文字のみを表示する場合は単票表示を行い、該当する文字情報が複数存在する場合は一覧表示を行う。また、いずれの表示にするかは、あらかじめ指定しても構わない。
【００４３】
または、いったん一覧表示を行い、その一覧の中から選択させて、詳細情報を単票表示する。
【００４４】
（データベース編集部１５の構成・機能）
検索機能のほかに、検索対象となる文字情報データベース１１の管理を行う必要があるために、文字情報データベース１１にはデータベース編集部１５を接続する。
【００４５】
データベース編集部１５に管理端末３０よりアクセスし、文字情報データベース１１の文字情報を必要に応じて更新していく。
【００４６】
データベース編集部１５には、文字情報データベース１１内の文字情報を印刷する印刷手段が具備されることが望ましい。
【００４７】
なお、文字情報データベース１１の記憶装置を着脱可能なものとして、外部で構築された文字情報データベース１１を記憶装置ごと交換する方式を採用する場合は、文字情報検索装置１０にデータベース編集部１５は特に必要としない。
【００４８】
つづいて、本発明の実施の形態の具体例を、図３から図１３を参照しながら説明する。
【００４９】
まず、外部の端末２０よりアクセスすると、図３に示すメインメニュー画面が表示される。
【００５０】
（漢字検索）
次に、検索項目のうちの「文字データベース漢字検索」を選択すると、例えば手書き入力の場合は、図４に示すように、手書き文字入力パレットが表示される。そして、端末２０の画面に表示された手書き文字入力パレットに指や電子ペンで文字を手書きする。
【００５１】
また、端末２０の画面が手書き認識対応でない場合などは、図５に示すように、漢字入力欄に端末２０のキーボードから通常の入力によって文字を入力する。
【００５２】
入力された文字は、検索条件受付部１２で検索キーに変換されて、検索部１３に渡され、文字情報データベース１１が検索される。その検索結果は、検索結果表示部１４によって、図６に示すように、端末２０に表示される。
【００５３】
（読み検索）
次に、検索項目のうちの「文字データベース読み検索」を選択すると、図７に示すように、読み入力欄が表示され、端末２０のキーボードから検索したい文字の読み方を入力する。
【００５４】
入力された読み方は、検索条件受付部１２で検索キーに変換されて、検索部１３に渡され、文字情報データベース１１が検索される。その検索結果は、検索結果表示部１４によって、図８に示すように、端末２０に表示される。
【００５５】
図８においては、漢字に、ＪＩＳ、区点コード、シフトＪＩＳ、Ｕｎｉｃｏｄｅ、戸籍統一番号、部首、画数、訓読み、音読み、読みが対応させられて表示されている。
【００５６】
この場合、同じ読み方をする文字が複数存在するために、一覧形式で表示される。
【００５７】
また、音読み、訓読み、及び名乗りの情報のうちで、名乗りの一致を優先させて検索しているので、例えば「あきら」で検索した場合、名乗りの情報に「あきら」という情報が存在する文字が表示される。
【００５８】
この一覧の中から求める文字を選択すると、図９に示すように、詳細情報が単票形式で表示される。
【００５９】
メインメニューの文字データベース読み検索（単票）を指定して検索した場合は、検索された文字情報を、一覧表示なしに、直接、単票形式で表示することもできる。この場合も図９と同じ表示となる。
【００６０】
（画数検索）
次に、検索項目のうちの「文字データベース画数検索（一覧）」を選択すると、図１０に示すように、画数入力欄が表示され、端末２０のキーボードから検索したい文字の画数を入力する。
【００６１】
入力された画数は、検索条件受付部１２で検索キーに変換されて、検索部１３に渡され、文字情報データベース１１が検索される。その検索結果は、検索結果表示部１４によって、図１１に示すように、端末２０に表示される。
【００６２】
この場合、同じ画数の文字が一覧形式で表示される。この一覧の中から求める文字を選択すると、図９で示した読み検索の場合と同様の単票形式で、詳細情報が表示される。
【００６３】
（部首検索）
次に、検索項目のうちの「文字データベース部首検索（一覧）」を選択すると、図１２に示すように、部首入力欄が表示され、端末２０のキーボードから検索したい文字の部首を入力する。ただし、部首の場合は、漢字検索と同様に手書き入力も可能とすることが好ましい。
【００６４】
入力された部首は、検索条件受付部１２で検索キーに変換されて、検索部１３に渡され、文字情報データベース１１が検索される。その検索結果は、検索結果表示部１４によって、図１３に示すように、端末２０に表示される。
【００６５】
この場合、同じ部首の文字が一覧形式で表示される。この一覧の中から求める文字を選択すると、図９で示した読み検索の場合と同様の単票形式で、詳細情報が表示される。
【００６６】
（各種コード検索）
また、各種文字コードによって検索する場合は、検索項目のうちから該当するコード検索を指定して、表示されるコード入力欄に、端末２０のキーボードから検索したい文字のコードを入力する。
【００６７】
入力されたコードは、検索条件受付部１２で検索キーに変換されて、検索部１３に渡され、文字情報データベース１１が検索される。その検索結果は、検索結果表示部１４によって、図９で示した読み検索の場合と同様の単票形式で、詳細情報が表示される。
【００６８】
すなわち、例えば図７に示すように、メインメニューには一画面を、漢字検索、読み検索、読み検索（単票）、が数検索、ＪＩＳコード検索、区点コード検索、住基コード検索、戸籍統一文字番号検索としているので、ユーザは直ぐに希望の項目を選択できる。
【００６９】
また、図８に示すように、漢字に、ＪＩＳ、区点コード、シフトＪＩＳ、Ｕｎｉｃｏｄｅ、戸籍統一番号、部首、画数、訓読み、音読み、読みを一度に表示するので、ユーザが希望するコードを直ぐに見つけることができる。
【００７０】
（文字情報検索装置１０の検索処理）
上記の文字情報検索装置１０の検索処理について、図１４の処理フローチャートを参照しながら、さらに詳しく説明する。
【００７１】
まず、検索条件受付部１２は、検索項目が選択された後、外部の端末２０からの検索条件を受け付ける（Ｓ１００）。
【００７２】
次に、検索条件受付部１２は、検索を実行する検索部１３が選択された検索項目を識別できるように、入力された検索条件を、検索識別子を付与した検索キーに変換する（Ｓ１０１）。
【００７３】
ここで、検索識別子とは、例えば、漢字検索の場合は「１」、読み検索の場合は「２」などと数値化したものであるが、それぞれを区別できる情報であれば構わない。
【００７４】
次に、検索部１３は、検索条件受付部１２から入力された検索キーの検索識別子により、文字情報データベース１１に記録された各文字情報のうちで、検索対象文字情報要素を決定する（Ｓ１０２）。
【００７５】
例えば、漢字検索の場合、文字情報のうちの「文字」の要素と検索キーの検索条件と比較することにする。
【００７６】
ここで、読み検索の場合に、文字情報のうちの「音読み」、「訓読み」、「名乗り」の要素のいずれを優先して検索対象とするかを、文字情報検索装置１０に具備されたメモリ（図示せず）にあらかじめ設定しておく。検索部１３は、検索キーの検索識別子が読み検索の検索識別子であった場合、その設定に従って検索対象文字情報要素を決定する。
【００７７】
または、文字情報のうちの「音読み」、「訓読み」、「名乗り」の要素のいずれを優先させるかを、端末２０より指定させる方法を採用しても構わない。
【００７８】
検索部１３は、文字情報データベース１１に記録された第１の文字情報を読み出し、その第１の文字情報の中の検索対象文字情報要素を、検索キーの検索条件と比較する（Ｓ１０３）。
【００７９】
第１の文字情報の中の検索対象文字情報要素と検索キーの検索条件が一致するかを判定し（Ｓ１０４）、一致した場合は、該当文字情報を抽出して、文字情報検索装置１０に具備されたメモリ（図示せず）に一時的に記憶させる（Ｓ１０５）。
【００８０】
該当文字情報を抽出したあとや、一致しなかった場合は、最後の文字情報かを判定し（Ｓ１０６）、まだ文字情報が存在する場合は、次の文字情報（第２の文字情報）に移り（Ｓ１０７）、再度比較処理を繰り返す。
【００８１】
このようにして、第３の文字情報、第４の文字情報、・・・と、文字情報データベース１１に記録された全文字情報について比較処理を行い、一致する文字情報のみをメモリに蓄積していく。
【００８２】
検索部１３は、全文字情報の比較が完了した時点で、抽出された文字情報を検索結果表示部１４に渡し、検索結果表示部１４は、端末２０に出力して、表示する（Ｓ１０８）。
【００８３】
（ネットワーク構成）
次に、図１５に示すように、本発明の実施の形態の文字情報検索装置１０をネットワークに組み込んだシステムを構築する。
【００８４】
インターネット通信機能を具備するサーバに、本発明の文字情報検索装置１０を実装し、インターネット接続可能な端末２０や携帯電話等の携帯端末２１から、インターネットを介して文字情報検索装置１０にアクセスし、検索を実行させることを可能とする。
【００８５】
このシステムを利用例として、窓口で担当者が名前入力に手間取っている場合に、申請者が自分の携帯電話等の携帯端末２１から、担当者が入力しようとしている文字を検索して、検索結果として得られた文字コードを担当者に伝えることで、入力の補助が可能となり、入力時間の短縮が図られる。
【００８６】
また、文書作成ソフトウェアを使用している際に、その文書作成ソフトウェアのかな漢字変換では、変換結果として該当の漢字が得られないような場合に、インターネットを介して文字情報検索装置１０にアクセスし、検索を実行し、文字コードを得ることによって、該当の漢字を表示させることが可能となる。
【００８７】
本発明の実施の形態を説明するために各図において示した構成や配置は、あくまでも例示であって、本発明の機能を実現するために限定したものでない。よって、本発明の機能が実現可能な範囲において、種々の配置の組み合わせが考え得ることは言うまでもない。
【図面の簡単な説明】
【００８８】
【図１】文字情報検索装置の構成図である。
【図２】文字情報データベースの構成図である。
【図３】文字情報検索装置の具体例のメインメニュー画面である。
【図４】文字情報検索装置の具体例の手書き文字入力画面である。
【図５】文字情報検索装置の具体例の漢字入力画面である。
【図６】文字情報検索装置の具体例の漢字検索結果表示画面である。
【図７】文字情報検索装置の具体例の読み入力画面である。
【図８】文字情報検索装置の具体例の読み検索結果の一覧表示画面である。
【図９】文字情報検索装置の具体例の読み検索結果の単票表示画面である。
【図１０】文字情報検索装置の具体例の画数入力画面である。
【図１１】文字情報検索装置の具体例の画数検索結果の一覧表示画面である。
【図１２】文字情報検索装置の具体例の部首入力画面である。
【図１３】文字情報検索装置の具体例の部首検索結果の一覧表示画面である。
【図１４】文字情報検索装置の処理フローチャートである。
【図１５】文字情報検索装置を実装したネットワークの構成図である。
【符号の説明】
【００８９】
１０  文字情報検索装置
１１  文字情報データベース
１２  検索条件受付部
１３  検索部
１４  検索結果表示部
１５  データベース編集部
２０  端末
２１  携帯端末
３０  管理端末
【図１】
2008269255.tif 000003
【図２】
2008269255.tif 000004
【図３】
2008269255.tif 000005
【図４】
2008269255.tif 000006
【図５】
2008269255.tif 000007
【図６】
2008269255.tif 000008
【図７】
2008269255.tif 000009
【図８】
2008269255.tif 000010
【図９】
2008269255.tif 000011
【図１０】
2008269255.tif 000012
【図１１】
2008269255.tif 000013
【図１２】
2008269255.tif 000014
【図１３】
2008269255.tif 000015
【図１４】
2008269255.tif 000016
【図１５】
2008269255.tif 000017